(57)【要約】      （修正有）【課題】通気性に優れ、製造コストの低い衝撃緩和帽子を提供する。【解決手段】略円形のクラウン部材１の周縁部が周方向及び径方向に縮められてクラウン部材１の周縁長より短いサイズテープ２に縫製されてなる衝撃緩和帽子であって、クラウン部材１は、マルチフィラメントまたは紡績糸で編まれた上下に配置される二枚のシート状網と、二枚のシート状網の間を連結する剛性を有するモノフィラメントとを備える。【選択図】図４
0003166209.tif 000002
【実用新案登録請求の範囲】
【請求項１】
略円形のクラウン部材の周縁部が周方向及び径方向に縮められて前記クラウン部材の周縁長より短いサイズテープに縫製されてなる衝撃緩和帽子であって、
前記クラウン部材は、マルチフィラメントまたは紡績糸で編まれた上下に離間配置される二枚のシート状網と、前記二枚のシート状網の間を連結する剛性を有するモノフィラメントと、を備えることを特徴とする衝撃緩和帽子。
【請求項２】
前記モノフィラメントは前記二枚のシート状網に編みこまれて前記二枚のシート状網の間を連結する請求項１に記載の衝撃緩和帽子。
【請求項３】
前記二枚のシート状網は、二つのＶ字辺と二つの平行辺からなる６角形状網目が規則的に連なるシート状網である請求項１または２に記載の衝撃緩和帽子。
【請求項４】
前記クラウン部材がその周縁部を周方向に縮められて縫製される部位は、前記二つの平行辺に略平行な前記クラウン部材の中心線と前記周縁部との交点付近の周縁部である請求項３に記載の衝撃緩和帽子。
【考案の詳細な説明】
【技術分野】
【０００１】
本考案は、頭部保護を目的とした衝撃緩和帽子に関するものである。
【背景技術】
【０００２】
衝撃緩和帽子としては、略三角形状の合成樹脂等の衝撃緩和材を複数周方向にメッシュ素材で縫合してなるものが知られている（例えば、特許文献１参照。）。
【０００３】
また、メッシュ素材を略三角形に裁断し、蓮花状に並べて隣接する辺縁同士を縫い合わせてなる通常の帽子も知られている（例えば、特許文献２参照。）。
【先行技術文献】
【特許文献】
【０００４】
【特許文献１】特開２０１０−１５６０９２号公報
【特許文献２】特開２００８−１６３５２４号公報
【考案の概要】
【考案が解決しようとする課題】
【０００５】
従来の帽子は、上記のように素材を略三角形状に裁断し、蓮花状に並べて隣接する辺縁同士を縫い合わせてクラウンを形成していた。したがって、製造に長時間を要し、素材の切端を多数出し、製造コストが高いという問題を有していた。
【０００６】
また、上記従来の衝撃緩和帽子の通気性はメッシュ素材部分でのみ行わる。クラウンの大部分を占める衝撃緩和材は通気性がないため通気性が不十分であった。
【０００７】
また、メッシュ素材を縫い合わせてなる通常の帽子は、通気性に優れているが、衝撃緩和性を備えていなかった。
【０００８】
本考案は、上記の問題に鑑みてなされたもので、通気性に優れ、製造コストの低い衝撃緩和帽子を提供することを課題とする。
【課題を解決するための手段】
【０００９】
上記の課題を解決するためになされた本考案の衝撃緩和帽子は、略円形のクラウン部材の周縁部が周方向及び径方向に縮められて前記クラウン部材の周縁長より短いサイズテープに縫製されてなる衝撃緩和帽子であって、前記クラウン部材は、マルチフィラメントまたは紡績糸で編まれた上下に離間配置される二枚のシート状網と、前記二枚のシート状網の間を連結する剛性を有するモノフィラメントと、を備えることを特徴とする。
【００１０】
上記の衝撃緩和帽子において、前記モノフィラメントは前記二枚のシート状網に編みこまれて前記二枚のシート状網の間を連結するとよい。
【００１１】
また、前記二枚のシート状網は、二つのＶ字辺と二つの平行辺からなる６角形状網目が規則的に連なるシート状網であるとよい。
【００１２】
また、前記クラウン部材がその周縁部を周方向に縮められて縫製される部位は、前記クラウン部材が前記二つの平行辺に略平行な中心線と前記周縁部との交点付近の周縁部であるとよい。
【考案の効果】
【００１３】
マルチフィラメントまたは紡績糸で編まれた上下に配置される二枚のシート状網と前記二枚のシート状網の間を連結する剛性を有するモノフィラメントとを備える略円形のクラウン部材の周縁部が周方向及び径方向に縮められてサイズテープに縫製されるので、周縁部から中心部に向けて周方向及び径方向の縮み量が減少して略円形のクラウン部材がドーム状のクラウンになる。したがって、素材を略三角形状に裁断して縫い合わせる必要がないので、製造に長時間を要することがない。その結果、製造コストが低い。
【００１４】
また、クラウン部材がマルチフィラメントまたは紡績糸で編まれた上下に配置される二枚のシート状網と前記二枚のシート状網の間を連結する剛性を有するモノフィラメントとを備えるので、表側のシート状網に加わる衝撃が剛性を有するフィラメントで緩和され頭部への衝撃が弱まる。
【００１５】
また、クラウン部材が二枚のシート状網を備えているので、通気性が非常に良い。
【００１６】
また、モノフィラメントが二枚のシート状網に編みこまれて二枚のシート状網の間を連結するので、網目を構成する各辺も剛性を有する。その結果、力を加えれば、網目が変形するが、力を取り去ると元の形状の網目に戻るので、クラウン部材の周縁部が周方向と径方向に縮めてサイズテープに縫製されても皺の無いドーム状クラウンが形成される。
【００１７】
また、前記二枚のシート状網が二つのＶ字辺と二つの平行辺からなる６角形状網目が規則的に連なるシート状網であると、クラウン部材の周方向及び径方向への縮みが容易になり皺の発生がさらに抑制される。
【００１８】
また、ラウン部材がその周縁部を周方向に縮められて縫製される部位が二つの平行辺に略平行な中心線と周縁部との交点付近の周縁部であるので、Ｖ字辺のＶ字角度が狭まる方向に縮められる。その結果、一層皺の発生が抑制される。
【図面の簡単な説明】
【００１９】
【図１】実施形態１のクラウン部材の平面視図である。
【図２】上下のシート状網がモノフィラメントで連結される様子を示す模式図である。
【図３】実施形態１のサイズテープの斜視図である。
【図４】実施形態１の衝撃緩和帽子の概略側方視図である。
【図５】実施形態２のクラウン部材の平面視図である。
【図６】図５の円Ｃ1内の拡大模式図である。
【図７】図５の円Ｃ2内の平行辺を矢印Ａ2方向から見た拡大模式図である。
【図８】実施形態２の衝撃緩和帽子の概略斜視図である。
【考案を実施するための形態】
【００２０】
本考案の実施形態を図面を参照して説明する。
（実施形態１）本実施形態のクラウン部材１は図１に示すように、矩形状網目が規則的に並んだシート状立体編物素材を円形に裁断したものである。
【００２１】
クラウン部材１は、マルチフィラメントまたは紡績糸で編んだ矩形状網目が規則的に連なる二枚のシート状網１１、１２を上下に間隔をあけて配置し、シート状網１１とシート状網１２の対向する辺１１ａと１２ａ、１１ｂと１２ｂを図２に示すように剛性を有するモノフィラメント１３で連結したものである。モノフィラメント１３は各辺１１ａと１２ａ、１１ｂと１２ｂに絡まって上下の各辺１１ａと１２ａ、１１ｂと１２ｂを連結するので、各辺１１ａ、１１ｂと１２ａと１２ｂも剛性を有する。したがって、力を加えれば、網目が変形するが、力を取り去ると元の矩形状網目に戻る。
【００２２】
本実施形態のシート状網１１、１２は、ポリエステル紡績糸で編まれており、モノフィラメント１３は、ナイロンである。
【００２３】
図１に示す外径が約３００ｍｍ（周長が約９４０ｍｍ）のクラウン部材１の周縁部を周方向と径方向に縮めて長さが４６０ｍｍの図３に示すサイズテープ２に縫製する。すると、周方向と径方向に縮める力が加わり、矩形状網目が各辺の剛性に逆らって変形し、図４に示すような皺のないドーム状になる。
【００２４】
本実施形態の衝撃緩和帽子は、上記のように略円形状のクラウン部材１をその周縁部を周方向及び径方向に縮めてサイドテープに縫製するだけでできるので、製造に長時間を要することがなく、製造コストが低い。
【００２５】
また、クラウンが矩形状網目を有する立体編物素材で形成されているので、通気性が非常に良い。
【００２６】
また、本実施形態の衝撃緩和帽子のクラウンが２枚のシート状網１１、１２を剛性を有する複数のモノフィラメント１３で連結したクラウン部材１でできているので、衝撃緩和性に優れている。
（実施形態２）本実施形態のクラウン部材１Ａは図５に示すように、矩形状網目が規則的に並んだシート状立体編物素材を円形に裁断したものである。
【００２７】
クラウン部材１Ａは、図５〜７に示すように、マルチフィラメントまたは紡績糸１４Ａで編んだ二つのＶ字辺１１Ａａと二つの平行辺１１Ａｂからなる６角形状網目が規則的に連なるシート状網１１Ａとマルチフィラメントまたは紡績糸１４Ａで編んだ二つのＶ字辺１２Ａａと二つの平行辺１２Ａｂからなる６角形状網目が規則的に連なるシート状網１２Ａとを上下に配置し、前記２枚のシート状網１１Ａ、１２Ａの間を剛性を有する複数のモノフィラメント１３Ａで連結したものである。
【００２８】
本実施形態のクラウン部材１Ａには、二つの平行辺１１Ａｂと略直交する中心線ＶＬと周縁部との一方の交点付近に後部髪出し用及びサイズ調整用凹部１５Ａが形成されている。
【００２９】
本実施形態では立体編物素材としてユニチカのキュービックアイ（登録商標）を使用した。したがって、１４Ａは、複数のポリエステルフィラメントの撚糸であり、３Ａはナイロンモノフィラメントである。
【００３０】
モノフィラメント１３Ａは、シート状網１１ＡのＶ字辺１１Ａａ及び平行辺１１Ａｂと、シート状網１２ＡのＶ字辺１２Ａａ及び平行辺１２Ａｂと絡まって対向する各辺間を連結するので、各辺１１Ａａ、１１Ａｂと１２Ａａと１２Ａｂも剛性を有する。したがって、力を加えれば、網目が変形するが、力を取り去ると元の矩形状網目（横方向から見て）に戻る。
【００３１】
図５に示す外径が約３００ｍｍ（周長が約９４０ｍｍ）のクラウン部材１Ａの周縁部を周方向と径方向に縮めて長さが４６０ｍｍのサイズテープ２Ａに縫製する。その際、二つの平行辺１１Ａｂに略平行な中心線ＨＬと周縁部との交点付近の周縁部範囲ＬＬ、ＬＲを周方向に縮める。
【００３２】
サイズテープ２Ａの一端部が凹部１３Ａの一端部に位置し、サイズテープ２Ａの他端部が凹部１３Ａの他端部に位置するように縫製すると、６角形状網目が変形する。その際、変形量は周縁部から中心部に向かって漸減するので皺等の発生が抑制され、図８に示す衝撃緩和帽子が出来上がる。
【００３３】
特に、本実施形態では、二つの平行辺１１Ａｂに略平行な中心線ＨＬと周縁部との交点付近の周縁部範囲ＬＬ、ＬＲを周方向に縮めたので、Ｖ字辺１１ＡａのＶ字角度が狭まる方向に縮められるので、皺のないクラウンを形成することができた。
【００３４】
なお、サイズテープ２Ａの両端には面ファスナー４が取り付けられており、サイズを調整して頭部へ固定することができるようになっている。
【００３５】
本実施形態の衝撃緩和帽子は、上記のように略円形状のクラウン部材１Ａをその周縁部を周方向及び径方向に縮めてサイズテープ２Ａに縫製するだけでできるので、製造に長時間を要することがなく、製造コストが低い。
【００３６】
また、クラウンが６角形状網目を有する立体編物素材で形成されているので、通気性が非常に良い。
【００３７】
また、本考案の衝撃緩和帽子のクラウンが２枚のシート状網１１Ａ、１２Ａを剛性を有する複数のモノフィラメント３Ａで連結したクラウン部材1Ａで形成されているので、衝撃緩和性に優れている。
【００３８】
インパルスハンマー上に各種安全帽を設置し、５０ｃｍの高さから質量１．２３ｋｇの円柱錘を落下させ、それぞれの時刻歴衝撃荷重を測定した。樹脂製の安全帽子の衝撃荷重が約８０００Ｎであったのに対し、本考案の帽子をインナーにした安全帽子は約４０００Ｎであり、約５０％衝撃が緩和されることが分かった。
【００３９】
本考案の衝撃緩和帽子は、上記のように、通気性に優れ、衝撃緩和性に優れているので、転倒しやすい老人や病人等が常時着用する室内用帽子としても好適である。
【符号の説明】
【００４０】
１、１Ａ・・・・・・・・・・・・・・クラウン部材
１１、１２、１１Ａ、１２Ａ・・・・シート状網
１１Ａａ、１２Ａａ・・・・・・Ｖ字辺
１１Ａｂ、１２Ａｂ・・・・・・平行辺
１３、１３Ａ・・・・・・・・・・・モノフィラメント
１４Ａ・・・・・・・・・・・・・・マルチフィラメントまたは紡績糸
２、２Ａ・・・・・・・・・・・・・・サイズテープ
【図１】
0003166209.tif 000003
【図２】
0003166209.tif 000004
【図３】
0003166209.tif 000005
【図４】
0003166209.tif 000006
【図５】
0003166209.tif 000007
【図６】
0003166209.tif 000008
【図７】
0003166209.tif 000009
【図８】
0003166209.tif 000010